(57)【特許請求の範囲】
【請求項１】
液化ガスを熱媒としての温水で加熱して気化させる竪型円筒状の外周壁を有する気化器内において漏洩した液化ガスを検知する方法であって、
気化器の内部を通る伝熱管に液化ガスを流しつつ、当該液化ガスを上記気化器の内部に収容された温水によって加熱し、
上記気化器の内部に温水を供給するための熱媒導入口を通じて上記気化器内に温水を導入し、
上記熱媒導入口および上記伝熱管よりも上位にある熱媒導出口を通じて上記気化器内の温水を上記気化器の外部に導出し、
上記伝熱管から漏洩したガスを上記気化器の内部上方空間から当該気化器の外部に導出し、
上記気化器の外部に導出されたガスを検知する、各ステップを備え、
上記気化器内に温水を導入するステップにおいては、上記熱媒導入口から上記気化器の外周壁の周方向に沿う方向に温水を噴射させて、噴射された温水が上記気化器の内部を渦流となって均一化された状態で上昇するようにするとともに、漏洩した液化ガスの気泡が、平均化された上昇速度で上昇する温水よりも速く上昇するようにした、液化ガス検知方法。
【請求項２】
上記熱媒導出口から上記伝熱管の最上位までの深さをＤ（ｃｍ）、上記気化器内の上記伝熱管の最上位から上記熱媒導出口までの領域における温水の滞留時間をＴ（秒）とした場合に、Ｄ／２０＜Ｔの関係が成立する、請求項１に記載の液化ガス検知方法。
【請求項３】
上記気化器内における温水の上昇速度が、２０ｃｍ／秒より遅い、請求項１に記載の液化ガス検知方法。
【請求項４】
上記気化器の上部には、ガスを排出するためのフロート式排気弁が設けられており、
上記伝熱管から漏洩したガスを上記気化器の外部に導出するステップにおいては、上記気化器の内部上方空間にあるガスを上記フロート式排気弁を介して上記気化器の外部に導出する、請求項１ないし３のいずれかに記載の液化ガス検知方法。
【請求項５】
液化ガスを温水で加熱して気化させる気化器内において漏洩した液化ガスを検知する方法であって、
気化器の内部を通る伝熱管に液化ガスを流しつつ、当該液化ガスを上記気化器の内部に収容された温水によって加熱し、
上記気化器の内部に温水を供給するための第１の熱媒導入口を通じて上記気化器内に温水を導入し、
上記第１の熱媒導入部および上記伝熱管よりも上位にある第１の熱媒導出口を通じて気化器内の温水を上記気化器の外部に導出し、
上記第１の熱媒導出口を経た温水を竪型円筒状の外周壁を有する気液分離槽の内部に供給するための第２の熱媒導入口を通じて当該気液分離槽内に導入し、
上記第２の熱媒導入口よりも上位にある第２の熱媒導出口を通じて上記気液分離槽内の温水を上記気液分離槽の外部に導出し、
上記伝熱管から漏洩したガスを温水とともに上記第１の熱媒導出口を通じて導出し、
上記第１の熱媒導出口を経たガスを温水とともに上記第２の熱媒導入口を通じて上記気液分離槽内に導入し、
上記気液分離槽内のガスを当該気液分離槽の内部上方空間から当該気液分離槽の外部に導出し、
上記気液分離槽の外部に導出されたガスを検知する、各ステップを備え、
上記気液分離槽内に温水を導入するステップにおいては、上記第２の熱媒導入口から上記気液分離槽の外周壁の周方向に沿う方向に温水を噴射させて、噴射された温水が上記気液分離槽の内部を渦流となって均一化された状態で上昇するようにするとともに、漏洩した液化ガスの気泡が、平均化された上昇速度で上昇する温水よりも速く上昇するようにした、液化ガス漏洩検知方法。
【請求項６】
上記第２の熱媒導出口から上記第２の熱媒導入口までの深さをＤ（ｃｍ）、上記気液分離槽内の上記第２の熱媒導入口から上記第２の熱媒導出口までの領域における温水の滞留時間をＴ（秒）とした場合に、Ｄ／２０＜Ｔの関係が成立する、請求項５に記載の液化ガス検知方法。
【請求項７】
上記気液分離槽内における温水の上昇速度が、２０ｃｍ／秒より遅い、請求項５に記載の液化ガス検知方法。
【請求項８】
上記気液分離槽の上部には、ガスを排出するためのフロート式排気弁が設けられており、
上記気液分離槽内のガスを上記気液分離槽の外部に導出するステップにおいては、上記気液分離槽の内部上方空間にあるガスを上記フロート式排気弁を介して上記気液分離槽の外部に導出する、請求項５ないし７のいずれかに記載の液化ガス検知方法。
【請求項９】
液化ガスを温水で加熱して気化させる気化器内において漏洩した液化ガスを検知するための装置であって、
温水を供給するための熱媒導入口、および温水を導出するための熱媒導出口を有し、温水が収容される竪型円筒状の外周壁を有する気化器と、
上記気化器の内部を通り、液化ガスを流すための伝熱管と、
上記伝熱管から漏洩したガスを上記気化器の内部上方空間から当該気化器の外部に導出するためのガス導出手段と、
上記気化器の外部に導出されたガスを検知するためのガス検知手段と、を備え、
上記熱媒導出口は、上記熱媒導入口および上記伝熱管よりも上位に位置しており、
上記熱媒導入口は、上記気化器の外周壁の周方向に沿う方向に温水を噴射することにより、噴射された温水が上記気化器の内部を渦流となって均一化された状態で上昇するようにするとともに、漏洩した液化ガスの気泡が、平均化された上昇速度で上昇する温水よりも速く上昇するように構成した、液化ガス漏洩検知装置。
【請求項１０】
上記ガス導出手段は、上記気化器の上部に設けられ、ガスを排出するためのフロート式排気弁を含む、請求項９に記載の液化ガス漏洩検知装置。
【請求項１１】
上記気化器と上記ガス検知手段との間には、上記気化器の外部に導出されたガスに含まれる水分を除去するためのドレン排出手段が設けられている、請求項９または１０に記載の液化ガス漏洩検知装置。
【請求項１２】
液化ガスを温水で加熱して気化させる気化器内において漏洩した液化ガスを検知するための装置であって、
温水を供給するための第１の熱媒導入口、および温水を導出するための第１の熱媒導出口を有し、温水が収容される気化器と、
上記気化器の内部を通り、液化ガスを流すための伝熱管と、
上記第１の熱媒導出管から導出された温水を供給するための第２の熱媒導入口、および温水を導出するための第２の熱媒導出口を有し、温水が収容される竪型円筒状の外周壁を有する気液分離槽と、
上記伝熱管から漏洩したガスを上記気液分離槽の内部上方空間から当該気液分離槽の外部に導出するためのガス導出手段と、
上記気液分離槽の外部に導出されたガスを検知するためのガス検知手段と、を備え、
上記第２の熱媒導出口は、上記第２の熱媒導入口よりも上位に位置しており、
上記第２の熱媒導入口は、上記気液分離槽の外周壁の周方向に沿う方向に温水を噴射することにより、噴射された温水が上記気液分離槽の内部を渦流となって均一化された状態で上昇するようにするとともに、漏洩した液化ガスの気泡が、平均化された上昇速度で上昇する温水よりも速く上昇するように構成した、液化ガス漏洩検知装置。
【請求項１３】
上記ガス導出手段は、上記気液分離槽の上部に設けられ、ガスを排出するためのフロート式排気弁を含む、請求項１２に記載の液化ガス漏洩検知装置。
【請求項１４】
上記気液分離槽と上記ガス検知手段との間には、上記気化器の外部に導出されたガスに含まれる水分を除去するためのドレン排出手段が設けられている、請求項１２または１３に記載の液化ガス漏洩検知装置。
【発明の詳細な説明】
【技術分野】
【０００１】
本発明は、液化天然ガス（ＬＮＧ）や液化石油ガス（ＬＰＧ）などの液化したガスを蒸発気化させる気化器において漏洩するガスを収集して検知する方法、および当該ガスを検知する装置に関する。
【背景技術】
【０００２】
液化天然ガス（ＬＮＧ）や液化石油ガス（ＬＰＧ）などの燃料ガスを液状でタンクに蓄え、気化器などで蒸発気化させてガス状にして供給することは各産業分野で重要な工業的手法として用いられている。ＬＮＧは−１６０℃以下で、ＬＰＧは−４０℃以下の低温で貯蔵されており、これら液化ガスは、気化器において加熱されてガス状にしたうえで需要者に供給される。
【０００３】
気化器の加熱源としては、ガスの物性に応じて様々なものを使用することができ、例えば、雰囲気空気あるいは温水などの液体（熱媒）が使用される。加熱源として熱媒を利用する場合、例えば、液化ガスを流すための伝熱管を密封状の気化器の内部に通すとともに、当該気化器の内部に熱媒を収容し、気化器内の伝熱管を熱媒に浸した状態において所定温度の熱媒が導入されるとともに、伝熱管内を流れる液化ガスとの熱交換により降温した熱媒が気化器から導出される。
【０００４】
天然ガスや石油ガスなどの燃料ガスは、ガス状態で外部に漏洩して雰囲気空気と混合すると、爆発等を起こす危険がある。具体的には、天然ガス（メタン）の場合は約５．０％の濃度で、石油ガス（プロパン）の場合は２．１％の濃度まで達すると爆発・燃焼を起こす危険性がある。したがって、気化器において気化した燃焼ガスが万が一漏洩した場合には、当該ガスの漏洩を迅速かつ的確に検知して、対策を講じることが求められる。加熱源として熱媒を利用する気化器の場合には、伝熱管の損傷等によって当該伝熱管から燃料ガスが漏洩して気化器内の熱媒中に放散することが起こり得る。このような場合であっても伝熱管から燃料ガスが漏洩していることを検知することが求められる。
【０００５】
液体と気体（ガス）の混合物からガスを分離する技術として、気液分離装置が知られている。特開平８−１８７４０３号公報（特許文献１）に気液分離装置の一例が開示されている。特許文献１に開示された気液分離装置は、遠心形分離器と重力形分離器を組み合わせることによって気液分離性能が高められている。特許文献１の気液分離装置においては、気液混相流を遠心形分離器と重力形分離器とに２段階で通流させているので、構造が複雑にならざるをえなかった。また、気液分離装置は気液混相流からガスを分離するために用いられるところ、上記したように気化器において伝熱管から漏洩して熱媒中に放散したガスを分離して収集するには、従来の気液分離装置のような構造は適していなかった。
【先行技術文献】
【特許文献】
【０００６】
【特許文献１】特開平８−１８７４０３号公報
【発明の概要】
【発明が解決しようとする課題】
【０００７】
本発明は、このような事情の下で考え出されたものであって、液化ガスが流れる伝熱管を熱媒に浸らせた構成の気化器において漏洩するガスを収集して検知するのに適した方法を提供することをその主たる目的とする。
【課題を解決するための手段】
【０００８】
本発明の第１の側面によって提供される液化ガス漏洩検知方法は、液化ガスを熱媒で加熱して気化させる気化器内において漏洩した液化ガスを検知する方法であって、気化器の内部を通る伝熱管に液化ガスを流しつつ、当該液化ガスを上記気化器の内部に収容された熱媒によって加熱し、上記気化器の内部に熱媒を供給するための熱媒導入口を通じて上記気化器内に熱媒を導入し、上記熱媒導入口および上記伝熱管よりも上位にある熱媒導出口を通じて上記気化器内の熱媒を上記気化器の外部に導出し、上記伝熱管から漏洩したガスを上記気化器の内部上方空間から当該気化器の外部に導出し、上記気化器の外部に導出されたガスを検知する、各ステップを備え、上記気化器内に熱媒を導入するステップにおいては、上記熱媒導入口から上記気化器の外周壁の周方向に沿う方向に熱媒を噴射させる。
【０００９】
好ましくは、上記熱媒導出口から上記伝熱管の最上位までの深さをＤ（ｃｍ）、上記気化器内の上記伝熱管の最上位から上記熱媒導出口までの領域における熱媒の滞留時間をＴ（秒）とした場合に、Ｄ／２０＜Ｔの関係が成立するようにＤとＴを決定する。
【００１０】
すなわち、上記気化器内における熱媒の上昇速度が、２０ｃｍ／秒より遅くなるようにＤとＴを決定する。
【００１１】
好ましくは、上記気化器の上部には、ガスを排出するためのフロート式排気弁が設けられており、上記伝熱管から漏洩したガスを上記気化器の外部に導出するステップにおいては、上記気化器の内部上方空間にあるガスを上記フロート式排気弁を介して上記気化器の外部に導出する。
【００１２】
好ましくは、上記気化器の外部に導出されたガスを検知するステップの前に、当該導出されたガスに含まれる水分を除去するステップをさらに備える。
【００１３】
本発明の第２の側面によって提供される液化ガス漏洩検知方法は、液化ガスを熱媒で加熱して気化させる気化器内において漏洩した液化ガスを検知する方法であって、気化器の内部を通る伝熱管に液化ガスを流しつつ、当該液化ガスを上記気化器の内部に収容された熱媒によって加熱し、上記気化器の内部に熱媒を供給するための第１の熱媒導入口を通じて上記気化器内に熱媒を導入し、上記第１の熱媒導入部および上記伝熱管よりも上位にある第１の熱媒導出口を通じて気化器内の熱媒を上記気化器の外部に導出し、上記第１の熱媒導出口を経た熱媒を気液分離槽の内部に供給するための第２の熱媒導入口を通じて当該気液分離槽内に導入し、上記第２の熱媒導入口よりも上位にある第２の熱媒導出口を通じて上記気液分離槽内の熱媒を上記気液分離槽の外部に導出し、上記伝熱管から漏洩したガスを熱媒とともに上記第１の熱媒導出口を通じて導出し、上記第１の熱媒導出口を経たガスを熱媒とともに上記第２の熱媒導入口を通じて上記気液分離槽内に導入し、上記気液分離槽内のガスを当該気液分離槽の内部上方空間から当該気液分離槽の外部に導出し、上記気液分離槽の外部に導出されたガスを検知する、各ステップを備え、上記気液分離槽内に熱媒を導入するステップにおいては、上記第２の熱媒導入口から上記気液分離槽の外周壁の周方向に沿う方向に熱媒を噴射させる。
【００１４】
好ましくは、上記第２の熱媒導出口から上記第２の熱媒導入口までの深さをＤ（ｃｍ）、上記気液分離槽内の上記第２の熱媒導入口から上記第２の熱媒導出口までの領域における熱媒の滞留時間をＴ（秒）とした場合に、Ｄ／２０＜Ｔの関係が成立するようにＤとＴを決定する。
【００１５】
すなわち、上記気液分離槽内における熱媒の上昇速度が、２０ｃｍ／秒より遅くなるようにＤとＴを決定する。
【００１６】
好ましくは、上記気液分離槽の上部には、ガスを排出するためのフロート式排気弁が設けられており、上記気液分離槽内のガスを上記気液分離槽の外部に導出するステップにおいては、上記気液分離槽の内部上方空間にあるガスを上記フロート式排気弁を介して上記気液分離槽の外部に導出する。
【００１７】
好ましくは、上記気液分離槽の外部に導出されたガスを検知するステップの前に、当該導出されたガスに含まれる水分を除去するステップをさらに備える。
【００１８】
本発明の第３の側面によって提供される液化ガス漏洩検知装置は、液化ガスを熱媒で加熱して気化させる気化器内において漏洩した液化ガスを検知するための装置であって、熱媒を供給するための熱媒導入口、および熱媒を導出するための熱媒導出口を有し、熱媒が収容される気化器と、上記気化器の内部を通り、液化ガスを流すための伝熱管と、上記伝熱管から漏洩したガスを上記気化器の内部上方空間から当該気化器の外部に導出するためのガス導出手段と、上記気化器の外部に導出されたガスを検知するためのガス検知手段と、を備え、上記熱媒導出口は、上記熱媒導入口および上記伝熱管よりも上位に位置しており、上記熱媒導入口は、上記気化器の外周壁の周方向に沿う方向に熱媒を噴射する。本装置によると、本発明の第１の側面に係る液化ガス漏洩検知方法を適切に実行することができる。
【００１９】
好ましくは、上記ガス導出手段は、上記気化器の上部に設けられ、ガスを排出するためのフロート式排気弁を含む。
【００２０】
好ましくは、上記気化器と上記ガス検知手段との間には、上記気化器の外部に導出されたガスに含まれる水分を除去するためのドレン排出手段が設けられている。
【００２１】
好ましくは、上記伝熱管は、上記気化器の下部から上部に延びて再び折り返すように延びるスパイラル状とされている。
【００２２】
本発明の第４の側面によって提供される液化ガス漏洩検知装置は、液化ガスを熱媒で加熱して気化させる気化器内において漏洩した液化ガスを検知するための装置であって、熱媒を供給するための第１の熱媒導入口、および熱媒を導出するための第１の熱媒導出口を有し、熱媒が収容される気化器と、上記気化器の内部を通り、液化ガスを流すための伝熱管と、上記第１の熱媒導出管から導出された熱媒を供給するための第２の熱媒導入口、および熱媒を導出するための第２の熱媒導出口を有し、熱媒が収容される気液分離槽と、上記伝熱管から漏洩したガスを上記気液分離槽の内部上方空間から当該気液分離槽の外部に導出するためのガス導出手段と、上記気液分離槽の外部に導出されたガスを検知するためのガス検知手段と、を備え、上記第２の熱媒導出口は、上記第２の熱媒導入口よりも上位に位置しており、上記第２の熱媒導入口は、上記気液分離槽の外周壁の周方向に沿う方向に熱媒を噴射する。本装置によると、本発明の第２の側面に係る液化ガス漏洩検知方法を適切に実行することができる。
【００２３】
好ましくは、上記ガス導出手段は、上記気液分離槽の上部に設けられ、ガスを排出するためのフロート式排気弁を含む。
【００２４】
好ましくは、上記気液分離槽と上記ガス検知手段との間には、上記気化器の外部に導出されたガスに含まれる水分を除去するためのドレン排出手段が設けられている。
【００２５】
好ましくは、上記伝熱管は、上記気化器の下部から上部に延びて再び折り返すように延びるスパイラル状とされている。
【００２６】
本発明のその他の特徴および利点は、添付図面を参照して以下に行う詳細な説明によって、より明らかとなろう。
【図面の簡単な説明】
【００２７】
【図１】本発明の第１実施形態に係る液化ガス漏洩検知装置の概略構成を示す部分縦断面図である。
【図２】気化器の概略構成を示す部分横断面図である。
【図３】フロート式排気弁の概略構成を示す部分縦断面図である。
【図４】ドレンポットを示す概略斜視図である。
【図５】本発明の第２実施形態に係る液化ガス漏洩検知装置の概略構成を示す部分縦断面図である。
【発明を実施するための形態】
【００２８】
図１〜図４は、本発明の第１の実施形態に係る液化ガス漏洩検知装置を示している。図１および図２に示すように、本実施形態の液化ガス漏洩検知装置Ｘ１は、気化器１と、リークガス導出管２と、ドレンポット３と、ガス検知器４とを備えて構成されており、本発明の第１の側面に係る液化ガス漏洩検知方法を実行するのに使用することができるものである。
【００２９】
気化器１は、底板１１と、本体ハウジング１２と、熱媒導入管１３と、熱媒導出管１４と、熱媒ドレン管１５とを備え、底板１１および本体ハウジング１２が一体に組み合わされることにより密閉容器とされている。気化器１には、その内部に通された伝熱管１６が設けられている。また、気化器１の上部にはフロート式排気弁５が設けられており、このフロート式排気弁５にリークガス導出管２が接続されている。なお、図１および図４において、本体ハウジング１２、熱媒導入管１３、熱媒導出管１４、熱媒ドレン管１５、伝熱管１６、リークガス導出管２などの肉厚は簡略化のために図示を省略している。また、以下においては、気化される液化ガスが液化天然ガス（ＬＮＧ）であり、加熱媒体（熱媒）が温水であるものとして説明を進める場合もあるが、本発明はこれらに限定されるものではない。
【００３０】
底板１１は、例えばステンレス鋼製であり、伝熱管１６等を貫通させるための貫通孔と、複数のボルト孔１１aと、を有している。底板１１は、ＬＮＧサテライトの足場板を兼ねるものであってもよい。
【００３１】
本体ハウジング１２は、例えばステンレス鋼製であり、下端部は開口しており、上端部は部分球面状又は曲面状の天井壁１２ａにて閉鎖されている。従って、本体ハウジング１２は略釣鐘状の形態を有している。本体ハウジング１２の開口下端部の外周には円環状のフランジ１２ｂが一体形成されており、当該フランジ１２ｂには底板１１のボルト孔１１ａに対応するボルト孔１２ｃが設けられている。本体ハウジング１２と底板１１とは、それぞれのボルト孔１１ａ，１２ｃに挿入されるボルト（図示せず）によって相互に密封状態にて固定されている。従って、図外のボルトを外すことにより、本体ハウジング１２は底板１１から容易に取り外すことができ、内部構造を容易に目視により検査することができる。本実施形態においては、底板１１と本体ハウジング１２とで温水などの熱媒を収容するための密閉容器が規定されており、本体ハウジング１２の内部は熱媒で満たされている。なお、図示してはいないが、本体ハウジング１２のフランジ１２ｂと底板１１との間には適宜のシール材が介装されており、密封状態が保たれるようになっている。本体ハウジング１２の寸法の一例を挙げると、外周壁の内径が１２０ｃｍ程度であり、下端から天井壁１２ａまでの高さが２２０ｃｍ程度である。
【００３２】
図１に示すように、伝熱管１６は、シールされた状態にて底板１１を貫通して本体ハウジング１２（気化器１）の内部に引き込まれ、スパイラル状に上方に延びた後、下方に折り返して底板１１を貫通して気化器１の外部に導出される。この結果、伝熱管１６が温度変化により伸び縮みしても、スパイラル状に延びる部分により充分に吸収することができ、底板１１に対する接続部分に応力が伝達され難くなっている。
【００３３】
図示の実施形態においては、伝熱管１６は、その上流側から下流側に延びるに従って段階的に直径が大きくなっており、上流側の小径部１６ａと、この小径部１６ａから折り返しの頂部まで延びる中径部１６ｂと、この中径部１６ｂから底板１１に向けて延びる大径部１６ｃと、を含んでいる。伝熱管１６の小径部１６ａは、その上流端において、例えばＬＮＧ貯蔵タンクから延びる配管に接続されている。一方、伝熱管１６の大径部１６ｃは、その下流端において、例えば天然ガス利用サイトにつながる配管に接続されている。ただし、伝熱管１６については、その直径が小径部１６ａ、中径部１６ｂ、大径部１６ｃへと段階的に順次大きくなる構成に限定されるものではなく、例えば伝熱管１６のすべてが同径であってもよい。本発明において、伝熱管の具体的形状や各部の寸法は種々に変更である。
【００３４】
図１および図２に示すように、熱媒導入管１３は、例えばステンレス鋼管からなり、図示されていない熱媒供給源（温水供給源）から延びる配管に接続されているとともに、底板１１を貫通して上方に延びている。熱媒導入管１３の上端は、本体ハウジング１２の外周壁の下部にてその内部に開口している。熱媒導入管１３の上端開口１３ａ（熱媒導入口）は、本体ハウジング１２の外周壁の直径方向に交差する方向に向いており、より詳細には、本体ハウジング１２の外周壁の周方向に沿う方向に向いている。これにより、熱媒導入管１３を介して本体ハウジング１２の内部に導入された熱媒が渦流として上昇するようになっている。熱媒としては、温水、エタノールまたはエチレングリコールなどの液体を使用できるが、コストと取り扱いの容易性を考慮すると温水を用いるのが好ましい。
【００３５】
熱媒導出管１４は、例えばステンレス鋼管からなり、シールされた状態にて底板１１を貫通して延びている。熱媒導出管１４の上端は、上方を向いて開口しており、熱媒導入管１３の上端開口１３ａおよび伝熱管１６よりも上位にある。熱媒導出管１４の上端開口１４ａ（熱媒導出口）から伝熱管１６の上端までの深さＤは、例えば２３ｃｍ程度とされる。熱媒導出管１４の上端開口１４ａは、本体ハウジング１２の天井壁１２aから少し下がった位置にあり、熱媒導入管１３から熱媒が順次供給されることによりこの供給量と同量の熱媒を外部に排出する。熱媒導出管１４を介して排出された熱媒は、図外の再加熱手段により再加熱され、再び図外の熱媒供給源に循環される。
【００３６】
熱媒ドレン管１５は、本体ハウジング１２を底板１１から取り外して内部を保守点検する際に、当該点検に先立って内部の熱媒を排出するためのものである。熱媒ドレン管１５は、底板１１の貫通孔を介してシールされた状態にて本体ハウジング１２の内部に連通している。熱媒ドレン管１５は、例えばステンレス鋼管にて構成される。
【００３７】
フロート式排気弁５は、本体ハウジング１２（気化器１）内のガスを外部に導出するためのものであり、天井壁１２ａの頂部に取り付けられている。図３に示すように、フロート式排気弁５は、例えば、熱媒中において浮上するフロート５１と、フロート５１の上部に固定されたレバー５２と、レバー５２の先端上部に設けられたディスク５３と、通気孔５４と、を備えて構成されている。本体ハウジング１２の内部が熱媒によって満たされている場合、フロート５１は熱媒によって浮上させられ、通気孔５４はディスク５３によって塞がれている。その一方、本体ハウジング１２内にガスがある場合、当該ガスがフロート式排気弁５内に溜まることによって熱媒の液面が下がり、当該液面の降下にともなってフロート５１が下がる。そして、フロート５１が下降するとディスク５３が通気孔５４から離れ、本体ハウジング１２内のガスが通気孔５４を介してリークガス導出管２に導出される。なお、レバー５２は、ばね弾性を有するものであってもよい。詳細は後述するが、例えば、伝熱管１６に何らかの損傷がおこって液化ガス（液化天然ガス）が漏洩した場合、当該液化天然ガスは周囲の熱媒によって加熱されることにより気泡（主にメタンガス）となって上昇し、フロート式排気弁５を通じてリークガス導出管２に導出される。
【００３８】
ドレンポット３は、リークガス導出管２を通じて導出されたガスに含まれる水分を除去するためのものであり、リークガス導出管２の端部に接続されている。ドレンポット３は、図４に示すように、下端が開口した釣鐘状の筒体３１の下部に金網３２が張られた構成とされており、外部からの異物の混入が防止されている。伝熱管１６から漏洩して気化したガスは、熱媒である温水中を通過しているので、水分を多く含んでいる。この水分を多く含むガスがリークガス導出管２を介してドレンポット３に導入されると、当該ガス中の水分が凝縮し、ドレン水が発生する。ドレン水はドレンポット３の下端開口を通じて落下し、水分が除去されたガスは、ドレンポット３の下端開口を通じて外部に放出される。気化される液化ガスが液化天然ガスである場合、気化した天然ガス（主にメタン）は、空気より軽いのでドレンポット３から放出された後に上昇する。したがって、気化される液化ガスが液化天然ガスである場合、ガス検知器４はドレンポット３の上方に設けられており、本実施形態ではこのような場合について示している。その一方、気化される液化ガスが液化石油ガスである場合、気化した石油ガス（主にプロパン）は空気より重いので放出後に降下する。したがって、気化される液化ガスが液化石油ガスである場合、ガス検知器をドレンポットの真横に設置するか、あるいはポンプ吸引により所定の位置に設置したガス検知器に石油ガスを導くのが好ましい。
【００３９】
ガス検知器４は、例えば接触燃焼式の検知原理を使用した検知方法で空気と混ざったメタンやプロパンなどの燃焼ガスを検知するものが採用される。ガス検知器４は、例えば燃焼ガスの爆発限界濃度を見込んだ濃度レベル（例えば爆発限界濃度の１／５〜１／４程度）に達したときに警報を鳴らす。具体的には、例えば爆発限界濃度が５．０体積％であるメタンの場合は１．０体積％の濃度に達したときに、爆発限界濃度が２．１体積％であるプロパンの場合には０．５体積％に達したときに、それぞれ警報を鳴らす。なお、ガス検知器４は、支柱６に固定されており、ドレンポット３の真上に配置されている。また、ガス検知器４の下方において、空気よりも軽いガスをガス検知器４に誘導するためのガイド筒６１を設けてもよい。ガイド筒６１は、例えば、上端がガス検知器４に近接または当接するとともに、下方に延びてドレンポット３全体を囲っている。
【００４０】
上記の気化器１を含んで構成された液化ガス漏洩検知装置Ｘ１において、気化器１を運転するに際しては、熱媒導入管１３を介して本体ハウジング１２に例えば＋６０℃程度の温水が供給されて、本体ハウジング１２（気化器１）の内部を満たす。供給された温水は、本体ハウジング１２の内部を上昇し、過剰となった温水は熱媒導出管１４を介して外部に排出され、再加熱されたうえで熱媒供給源に循環される。ここで、熱媒導入管１３を介して供給される温水の供給量は、例えば１３〜６５ｍ3／ｈであり、熱媒導出管１４を介して排出される温水の量は、供給量と同量の１３〜６５ｍ3／ｈである。
【００４１】
本実施形態において、熱媒導入管１３の上端開口１３ａは本体ハウジング１２の外周壁の周方向に沿う方向に向いている。このため、熱媒導入管１３を介して供給される温水は、上端開口１３ａから本体ハウジング１２（気化器１）の外周壁の周方向に沿う方向に噴射される。このように噴射された温水は、気化器１の内部を渦流となって上昇する。ここで、渦流状となった温水が上昇する過程においては、本体ハウジング１２（気化器１）の内部空間において均一化された状態で上昇する。すなわち、気化器１の内部を流れる温水は、部分的に速く上昇したり、あるいは遅く上昇することはない。
【００４２】
気化器１の内部における温水の上昇速度Ｕは、２０ｃｍ／秒より遅い速度とされる。上記したように気化器１内にて温水は均一に上昇することから、温水の上昇速度Ｕは、温水の供給量を気化器１内部の水平断面積で除すことにより求めることができる。温水の供給量が上記した１３ｍ3／ｈである場合、本体ハウジング１２（気化器１）の外周壁の内径が１２０ｃｍであるので、温水の上昇速度Ｕは、１３／（π／４×１．２2）×１００×（１／３６００）によって求まり、約０．３２ｃｍ／秒となる。また、温水の供給量が６５ｍ3／ｈである場合、温水の上昇速度Ｕは、６５／（π／４×１．２2）×１００×（１／３６００）によって求まり、約１．６０ｃｍ／秒となる。なお、温水の上昇速度Ｕが上記範囲（２０ｃｍ／秒より遅い速度）であることの意義については後述する。
【００４３】
一方、液化ガスであるＬＮＧはスパイラル状に巻かれた伝熱管１６内を一旦上昇し、次いで下降する間に熱媒である温水による加熱を受けて液体から気体に変化する。その過程で液体であるＬＮＧは、０．３ＭＰａＧで−１４５℃のガスに変化していくと、その容積が約７０倍に増加する。しかしながら、上述したように、伝熱管１６の内径は段階的に増加しているので、流体の流れに対する抵抗が不当に上昇することはなく、ＬＮＧまたは気化したガスの最適な流速が確保される。気化された天然ガスは、伝熱管１６の内部にて最終的には常温付近まで加熱され排出される。
【００４４】
伝熱管１６に何らかの損傷が起こって、液化ガスである液化天然ガスまたは気化された天然ガスが漏洩すると、当該液化天然ガスまたは天然ガスは、周囲の温水によって加熱されて気化された状態で温水中に放散される。ここで、気化した天然ガスは、温水より比重が小さいので気泡となって浮上する。
【００４５】
気泡（天然ガス）の上昇速度は、２０ｃｍ／秒以上であると考えられる。気泡上昇速度が２０ｃｍ／秒以上であることは、水中に空気を噴出させたときに気泡が発生し、上昇する状態を測定した実験データ等に基づいて経験的に確認されている。ガスの密度は水の密度と比較して千分の一程度で非常に小さいので、水中内に噴出したガスは必ず気泡となって浮上する。ガスが空気の場合における水中での気泡上昇速度は、吹き込む空気量によって異なるが、約２０ｃｍ/秒以上の速度で上昇する。また、吹き込む空気量が多くなると気泡径が大きくなり、気泡上昇速度も速くなることが確認されている。
【００４６】
なお、気泡上昇速度と気泡径との関係については、ストークスの法則によって求めることができる。温水中での天然ガス（メタン）の気泡上昇速度が２０ｃｍ／秒である場合、その気泡径は約６００μｍである。具体的には、気泡上昇速度が２０ｃｍ/秒のときの気泡径をストークスの法則を用いて算出すると、Ｖ＝（Ｇ／１８μ）×（ρｗ―ρｇ）×ｄ2となり、Ｇは重力加速度９８０ｃｍ／秒2、Ｖは気泡上昇速度（ｃｍ／秒）、μは水の絶対粘度０．０１ｇ／ｃｍ・秒、ρｗは水の密度１．０ｇ／ｃｍ3、ρｇは漏洩した天然ガス（メタン）のガス密度０．０００５８６ｇ／ｃｍ3、ｄは気泡径（ｃｍ）である。ここで、Ｖ＝２０ｃｍ／秒を代入すると気泡径ｄ＝０．０６０６ｃｍ（６０６μｍ）となる。
【００４７】
伝熱管１６から液化天然ガスまたは蒸発気化した天然ガス（メタン）が漏洩した場合、気泡状態で温水中を上昇する。そして、伝熱管１６から漏洩した天然ガスについては、上記した気泡上昇速度と気泡径との関係から、実質的に当該ガスのすべてが、気泡径が６００μｍ以上の気泡となって２０ｃｍ／秒以上の気泡上昇速度で上昇する。
【００４８】
伝熱管１６の最上位から天然ガスが漏洩した場合を考えると、伝熱管１６の最上位から熱媒導出管１４の上端開口１４ａまでの領域（深さＤｃｍに相当する領域）において気泡が上昇する時間は、気泡上昇速度が２０ｃｍ／秒である場合、Ｄ／２０（秒）である。一方、伝熱管１６の最上位から熱媒導出管１４の上端開口１４ａまでの領域における温水の滞留時間Ｔ（秒）は、この領域における温水の上昇速度Ｕを用いると、Ｔ＝Ｄ／Ｕ（秒）と表される。そして、温水の上昇速度Ｕは、上述したように例えば約０．３２〜１．６０ｃｍ／秒であり、常に２０ｃｍ／秒より遅い（Ｕ＜２０）。これにより、伝熱管１６の最上位から熱媒導出管１４の上端開口１４ａまでの領域において、気泡の上昇時間Ｄ／２０と、温水の滞留時間Ｔとの間には、Ｄ／２０＜Ｔの関係が成り立つ。このように、上記領域において気泡の上昇時間よりも温水の滞留時間を長くすることにより、気泡が温水の流れに巻き込まれて熱媒導出管１４を通じて排出されることは防止される。したがって、伝熱管１６から温水中に漏洩した天然ガスについては、実質的にそのすべてが気化器１の内部上方空間（天井壁１２ａの頂部）に収集される。
【００４９】
天井壁１２ａの頂部に収集された天然ガスは、フロート式排気弁５内に溜まっていき、フロート５１が下降する。このフロート５１が所定長さ下降すると、レバー５２つながったディスク５３が通気孔５４から離れる。ここで、フロート式排気弁５内に溜まった天然ガスは、通気孔５４を介してリークガス導出管２に導出され、当該ガスは、リークガス導出管２に接続されたドレンポット３に入る。
【００５０】
ドレンポット３に導入された天然ガスは、上述したように水分を多く含んでいる。ドレンポット３では、天然ガス中の水分が凝縮し、ドレン水となって落下する。水分が除去された天然ガス（主にメタン）は、ドレンポット３の下端開口を通じて外部に放出され、上昇する。その後当該天然ガスは、ドレンポット３の真上に配置されたガス検知器４に入って検知され、警報が発せられる。
【００５１】
本実施形態において、気化器１の運転時には、熱媒導入管１３の上端開口１３ａから本体ハウジング１２の外周壁の周方向に沿う方向に温水（熱媒）が噴射され、本体ハウジング１２（気化器１）の内部の三次元空間において平均化された上昇速度で上昇する。気化器１の内部における熱媒の上昇速度は、気泡の上昇速度である２０ｃｍ／秒より遅い速度であるため、伝熱管１６に何らかの損傷がおこって液化ガス（液化天然ガス）または気化された天然ガスが熱媒中に漏洩した場合、天然ガスの気泡は熱媒よりも速く上昇する。また、伝熱管１６の最上位から熱媒導出管１４の上端開口１４ａまでの領域において、気泡の上昇時間（Ｄ／２０）よりも温水の滞留時間（Ｔ）を長くすることにより、漏れ出た気泡（天然ガス）については、熱媒からの分離が実質的に完全になされ、気化器１の頂部に的確に収集することができる。当該収集されたガスは、フロート式排気弁５を介して外部に導かれて、ガス検知器４によって検知される。このようなことから理解されるように、本実施形態によれば、液化ガス漏洩検知装置Ｘ１の全体構造が複雑になるのを回避しつつ、気化器１内において熱媒中に液化ガス（当該液化ガスが気化されたガスを含む）が漏洩した場合であっても、当該漏洩したガスを熱媒から完全に分離収集することにより、気化器１内での液化ガスの漏洩を迅速かつ的確に検知することができる。
【００５２】
図５は、本発明の第２の実施形態に係る液化ガス漏洩検知装置を示している。本実施形態の液化ガス漏洩検知装置Ｘ２は、気化器１と、熱媒用配管７と、気液分離槽８と、フロート式排気弁５と、リークガス導出管２と、ドレンポット３と、ガス検知器４とを備えて構成されており、本発明の第２の側面に係る液化ガス漏洩検知方法を実行するのに使用することができるものである。
【００５３】
本実施形態の液化ガス漏洩検知装置Ｘ２は、気液分離槽８を備える点において上記第１の実施形態の液化ガス漏洩検知装置Ｘ１と大きく異なっており、これに伴い種々の変更が加えられている。なお、図５において、上記実施形態と同一または類似の要素には上記実施形態と同一の符号を付しており、適宜説明を省略する。
【００５４】
本実施形態の液化ガス漏洩検知装置Ｘ２は、例えば気化器１の頂部にフロート式排気弁５を取り付けることができない場合などに適用される。液化ガス漏洩検知装置Ｘ２は、気化器１内において伝熱管１６から液化ガスまたは気化されたガスが漏洩した場合、熱媒とともに気泡となったガスを気化器１から導出し、気液分離槽８において熱媒から当該ガスを分離するように構成されている。
【００５５】
本体ハウジング１２（気化器１）の内部に熱媒が導入されると、上記実施形態と同様に、当該熱媒は気化器１内を上昇し、熱媒導出管１４を介して気化器１の外部に導出される。本実施形態では、気化器１において、熱媒導出管１４の上端開口１４ａ（第１の熱媒導出口）は、気化器１の頂部付近に位置している。このため、伝熱管１６から液化ガスである液化天然ガスまたは気化された天然ガスが漏洩すると、当該ガスは気泡となって熱媒中を上昇し、熱媒とともに上端開口１４ａを通じて気化器１の外部に導出される。熱媒導出管１４の下流側端部は熱媒用配管７に接続されている。
【００５６】
気液分離槽８は、全体として円筒状の密閉容器とされた容器本体８１と、熱媒導入管８２と、熱媒導出管８３とを備えている。容器本体８１は、例えばステンレス鋼製であり、上端部は部分球面状又は曲面状の天井壁８１ａとされている。容器本体８１の内部は熱媒で満たされている。容器本体８１の寸法の一例を挙げると、外周壁の内径が４０ｃｍ程度であり、下端から天井壁８１ａまでの高さが１００ｃｍ程度である。
【００５７】
熱媒導入管８２は、上流側の端部が熱媒用配管７に接続されているともに、下流側が容器本体８１の外周壁を貫通して容器本体８１の内部に延びている。熱媒導入管８２の下流側の先端は、容器本体８１の外周壁の下部にてその内部に開口している。熱媒導入管８２の先端開口８２ａ（第２の熱媒導入口）は、容器本体８１の外周壁の直径方向に交差する方向に向いており、より詳細には、容器本体８１の外周壁の周方向に沿う方向に向いている。これにより、熱媒用配管７および熱媒導入管８２を介して気液分離槽８の内部に導入された熱媒が渦流として上昇するようになっている。
【００５８】
熱媒導出管８３は、例えばステンレス鋼管からなり、容器本体８１の外周壁の上部に形成された開口８３ａを通じて容器本体８１（気液分離槽８）の外部に延びている。開口８３ａは、容器本体８１の径方向内方を向いており、熱媒導入管８２の先端開口８２ａよりも上位にある。熱媒導出管８３の開口８３ａ（第２の熱媒導出口）から熱媒導入管８２の先端開口８２ａまでの深さＤは、例えば６０ｃｍ程度とされる。熱媒導入管８２から熱媒が順次供給されることによりこの供給量と同量の熱媒が熱媒導出管８３を介して外部に排出される。熱媒導出管８３を介して排出された熱媒は、図外の再加熱手段により再加熱され、再び図外の熱媒供給源に循環される。
【００５９】
フロート式排気弁５は、容器本体８１（気液分離槽８）内のガスを外部に導出するためのものであり、天井壁８１ａの頂部に取り付けられている。リークガス導出管２は、フロート式排気弁５に接続されており、リークガス導出管２の下流端には、ドレンポット３が接続されている。フロート式排気弁５、ドレンポット３およびガス検知器４の構成は、上記第１実施形態と同様である。
【００６０】
気化器１および気液分離槽８を含んで構成された液化ガス漏洩検知装置Ｘ２において、気化器１を運転するに際しては、熱媒導入管１３を介して本体ハウジング１２に例えば＋６０℃程度の温水が供給されて、本体ハウジング１２（気化器１）の内部を満たす。供給された温水は、本体ハウジング１２の内部を上昇し、過剰となった温水は熱媒導出管１４を介して外部に排出される。ここで、熱媒導入管１３を介して供給される温水の供給量は、例えば１３〜６５ｍ3／ｈであり、熱媒導出管１４を介して排出される温水の量は、供給量と同量の１３〜６５ｍ3／ｈである。気化器１の外部に排出された温水は、熱媒用配管７および熱媒導入管８２を介して容器本体８１に供給されて、容器本体８１（気液分離槽８）の内部を満たす。供給された温水は、容器本体８１の内部を上昇し、過剰となった温水は、熱媒導出管８３を介して外部に排出され、再加熱されたうえで熱媒供給源に循環される。熱媒導入管８２を介して容器本体８１（気液分離槽８）に供給される温水の供給量は、例えば１３〜６５ｍ3／ｈであり、熱媒導出管８３を介して気液分離槽８から排出される温水の量は、供給量と同量の１３〜６５ｍ3／ｈである。
【００６１】
本実施形態において、気液分離槽８の熱媒導入管８２の先端開口８２ａは容器本体８１の外周壁の周方向に沿う方向に向いている。このため、熱媒導入管８２を介して供給される温水は、先端開口８２ａから容器本体８１（気液分離槽８）の外周壁の周方向に沿う方向に噴射される。このように噴射された温水は、気液分離槽８の内部を渦流となって上昇する。ここで、渦流状となった温水が上昇する過程においては、容器本体８１（気液分離槽８）の内部空間において均一化された状態で上昇する。すなわち、気液分離槽８の内部を流れる温水は、部分的に速く上昇したり、あるいは遅く上昇することはない。
【００６２】
気液分離槽８の内部における温水の上昇速度Ｕは、２０ｃｍ／秒より遅い速度とされる。上記したように気液分離槽８内にて温水は均一に上昇することから、温水の上昇速度Ｕは、温水の供給量を気液分離槽８内部の水平断面積で除すことにより求めることができる。温水の供給量が上記した１３ｍ3／ｈである場合、容器本体８１（気液分離槽８）の外周壁の内径が１２０ｃｍであるので、温水の上昇速度Ｕは、１３／（π／４×０．４2）×１００×（１／３６００）によって求まり、約２．８８ｃｍ／秒となる。また、温水の供給量が６５ｍ3／ｈである場合、温水の上昇速度Ｕは、６５／（π／４×０．４2）×１００×（１／３６００）によって求まり、約１４．４ｃｍ／秒となる。
【００６３】
気化器１内部の伝熱管１６に何らかの損傷が起こって、液化ガスである液化天然ガスまたは気化された天然ガスが漏洩すると、当該液化天然ガスまたは天然ガスは、周囲の温水によって加熱されて気化された状態で温水中を上昇する。当該漏洩ガス（天然ガス）は、本体ハウジング１２の頂部に到達し、温水とともに上端開口１４ａを通じて気化器１の外部に導出される。気化器１の外部に導出された天然ガスは、熱媒用配管７および熱媒導入管８２を通り、熱媒導入管８２の先端開口８２ａを通じて温水とともに容器本体８１の内部に導入される。
【００６４】
温水とともに容器本体８１内に供給された天然ガスは、温水中において気泡となって上昇する。ここで、当該気泡の上昇速度は、上記第１実施形態において説明したのと同様に、２０ｃｍ／秒以上である。熱媒導入管８２の先端開口８２ａから熱媒導出管８３の開口８３ａまでの領域（深さＤｃｍに相当する領域）において気泡が上昇する時間は、気泡上昇速度が２０ｃｍ／秒である場合、Ｄ／２０（秒）である。一方、熱媒導入管８２の先端開口８２ａから熱媒導出管８３の開口８３ａまでの領域における温水の滞留時間Ｔ（秒）は、この領域における温水の上昇速度Ｕを用いると、Ｔ＝Ｄ／Ｕ（秒）と表される。そして、温水の上昇速度Ｕは、上述したように例えば約２．８８〜１４．４ｃｍ／秒であり、常に２０ｃｍ／秒より遅い（Ｕ＜２０）。これにより、熱媒導入管８２の先端開口８２ａから熱媒導出管８３の開口８３ａまでの領域、気泡の上昇時間Ｄ／２０と、温水の滞留時間Ｔとの間には、Ｄ／２０＜Ｔの関係が成り立つ。このように、上記領域において気泡の上昇時間よりも温水の滞留時間を長くすることにより、気泡が温水の流れに巻き込まれて熱媒導出管８３を通じて排出されることは防止される。したがって、気化器１内部の伝熱管１６から温水中に漏洩した天然ガスについては、実質的にそのすべてが気液分離槽８の内部上方空間（天井壁８１ａの頂部）に収集される。
【００６５】
天井壁８１ａの頂部に収集された天然ガスは、フロート式排気弁５内に溜まっていき、フロート５１が下降する。このフロート５１が所定長さ下降すると、レバー５２つながったディスク５３が通気孔５４から離れる。ここで、フロート式排気弁５内に溜まった天然ガスは、通気孔５４を介してリークガス導出管２に導出され、当該ガスは、リークガス導出管２に接続されたドレンポット３に入る。
【００６６】
ドレンポット３に導入された天然ガスは、熱媒である温水中を通過しているため、水分を多く含んでいる。ドレンポット３では、天然ガス中の水分が凝縮し、ドレン水となって落下する。水分が除去された天然ガス（主にメタン）は、ドレンポット３の下端開口を通じて外部に放出され、上昇する。その後当該天然ガスは、ドレンポット３の真上に配置されたガス検知器４に入って検知され、警報が発せられる。
【００６７】
本実施形態において、気化器１の運転時には、気液分離槽８の熱媒導入管８２の先端開口８２ａから容器本体８１の外周壁の周方向に沿う方向に温水（熱媒）が噴射され、容器本体８１（気液分離槽８）の内部の三次元空間において平均化された上昇速度で上昇する。気化器１内部の伝熱管１６に何らかの損傷がおこって液化ガス（液化天然ガス）または気化された天然ガスが熱媒中に漏洩した場合、当該漏洩ガス（天然ガス）は、熱媒導出管１４、熱媒用配管７および熱媒導入管８２を介して熱媒とともに気液分離槽８の内部に導入される。気液分離槽８の内部における熱媒の上昇速度は、気泡の上昇速度である２０ｃｍ／秒より遅い速度であるため、気液分離槽８内において、天然ガスの気泡は熱媒よりも速く上昇する。また、熱媒導入管８２の先端開口８２ａから熱媒導出管８３の開口８３ａまでの領域において、気泡の上昇時間（Ｄ／２０）よりも温水の滞留時間（Ｔ）を長くすることにより、天然ガスの気泡については、熱媒からの分離が実質的に完全になされ、気液分離槽８の頂部に的確に収集することができる。当該収集されたガスは、フロート式排気弁５を介して外部に導かれて、ガス検知器４によって検知される。
【００６８】
以上、本発明の実施形態を説明したが、本発明の範囲は上記した実施形態に限定されるものではなく、発明の思想から逸脱しない範囲内で種々の変更が可能である。
【符号の説明】
【００６９】
Ｘ１，Ｘ２    液化ガス漏洩検知装置
１            気化器
１１          底板
１２          本体ハウジング
１２ａ        本体ハウジングの天井壁
１３          熱媒導入管
１３ａ        熱媒導入管の上端開口（熱媒導入口，第１の熱媒導入口）
１４          熱媒導出管
１４ａ        熱媒導出管の上端開口（熱媒導出口，第１の熱媒導出口）
１５          熱媒ドレン管
１６          伝熱管
１６ａ        伝熱管の小径部
１６ｂ        伝熱管の中径部
１６ｃ        伝熱管の大径部
２            リークガス導出管
３            ドレンポット（ドレン排出手段）
４            ガス検知器（ガス検知手段）
５            フロート式排気弁
５１          フロート
５２          レバー
５３          ディスク
５４          通気孔
６            支柱
６１          ガイド筒
７            熱媒用配管
８            気液分離槽
８１          容器本体
８１ａ        容器本体の天井壁
８２          熱媒導入管
８２ａ        熱媒導入管の先端開口（第２の熱媒導入口）
８３          熱媒導出管
８３ａ        熱媒導出管の開口（第２の熱媒導出口）
【要約】
【課題】  液化ガスが流れる伝熱管を熱媒に浸らせた構成の気化器において漏洩するガスを収集して検知するのに適した方法および装置を提供する。
【解決手段】  本発明の液化ガス漏洩検知装置Ｘ１は、熱媒を供給するための熱媒導入口１３ａ、および熱媒を導出するための熱媒導出口１４ａを有し、熱媒が収容される気化器１と、気化器１の内部を通り、液化ガスを流すための伝熱管１６と、伝熱管１６から漏洩したガスを気化器１の内部上方空間から気化器１の外部に導出するためのガス導出手段２と、気化器１の外部に導出されたガスを検知するためのガス検知手段４と、を備え、熱媒導出口１４ａは、熱媒導入口１３ａおよび伝熱管１６よりも上位に位置しており、熱媒導入口１３ａは、気化器１の外周壁の周方向に沿う方向に熱媒を噴射する。
【選択図】  図１【図１】
0005155471.tif 000002
【図２】
0005155471.tif 000003
【図３】
0005155471.tif 000004
【図４】
0005155471.tif 000005
【図５】
0005155471.tif 000006